(57)【要約】【課題】管理者等において、電力消費または電力系統への電力供給の調整に関する依頼内容を容易に把握することのできる管理装置、端末装置、管理方法および管理プログラムを提供する。【解決手段】管理装置は、本発明の実施の形態に係る管理装置は、電力消費または電力系統への電力供給の調整についての期間および量を示す管理情報を取得する取得部と、前記取得部により取得された前記管理情報に基づいて、前記調整の複数の依頼対象、ならびに前記複数の依頼対象に対応する前記調整についての期間および量をそれぞれ決定する決定部と、前記決定部による決定内容に基づいて、前記依頼対象に対応する図形であって前記依頼対象の前記量に応じた大きさの図形を前記依頼対象の前記期間に対応づけて表示する処理を行う表示処理部とを備える。【選択図】図１
2018057097.tif 000002
【特許請求の範囲】
【請求項１】
電力消費または電力系統への電力供給の調整についての期間および量を示す管理情報を取得する取得部と、
前記取得部により取得された前記管理情報に基づいて、前記調整の複数の依頼対象、ならびに前記複数の依頼対象に対応する前記調整についての期間および量をそれぞれ決定する決定部と、
前記決定部による決定内容に基づいて、前記依頼対象に対応する図形であって前記依頼対象の前記量に応じた大きさの図形を前記依頼対象の前記期間に対応づけて表示する処理を行う表示処理部とを備える、管理装置。
【請求項２】
前記表示処理部は、前記処理において、同じ期間に対応する各前記図形を対応の前記量に応じた順番で並べて表示する、請求項１に記載の管理装置。
【請求項３】
前記表示処理部は、前記処理において、前記量に関する数字を前記期間に対応付けてさらに表示する、請求項１または請求項２に記載の管理装置。
【請求項４】
前記表示処理部は、前記処理において、前記管理情報の示す前記期間および前記量を示す図形を各前記依頼対象の前記期間に対応づけてさらに表示する、請求項１から請求項３のいずれか１項に記載の管理装置。
【請求項５】
前記表示処理部は、前記処理において、画面における前記図形の位置が前記期間の時期を示し、前記図形の長さが前記期間の長さを示し、かつ前記図形の幅が前記量を示す前記図形を前記依頼対象ごとに表示する、請求項１から請求項４のいずれか１項に記載の管理装置。
【請求項６】
電力消費または電力系統への電力供給の調整の複数の依頼対象、ならびに前記複数の依頼対象に対応する前記調整についての期間および量をそれぞれ示す依頼対象情報を取得する取得部と、
前記取得部により取得された前記依頼対象情報に基づいて、前記依頼対象に対応する図形であって前記依頼対象の前記量に応じた大きさの図形を前記依頼対象の前記期間に対応づけて表示する処理を行う表示処理部とを備える、端末装置。
【請求項７】
管理装置における管理方法であって、
電力消費または電力系統への電力供給の調整についての期間および量を示す管理情報を取得するステップと、
取得した前記管理情報に基づいて、前記調整の複数の依頼対象、ならびに前記複数の依頼対象に対応する前記調整についての期間および量をそれぞれ決定するステップと、
決定内容に基づいて、前記依頼対象に対応する図形であって前記依頼対象の前記量に応じた大きさの図形を前記依頼対象の前記期間に対応づけて表示する処理を行うステップとを含む、管理方法。
【請求項８】
管理装置において用いられる管理プログラムであって、
コンピュータを、
電力消費または電力系統への電力供給の調整についての期間および量を示す管理情報を取得する取得部と、
前記取得部により取得された前記管理情報に基づいて、前記調整の複数の依頼対象、ならびに前記複数の依頼対象に対応する前記調整についての期間および量をそれぞれ決定する決定部と、
前記決定部による決定内容に基づいて、前記依頼対象に対応する図形であって前記依頼対象の前記量に応じた大きさの図形を前記依頼対象の前記期間に対応づけて表示する処理を行う表示処理部、
として機能させるための、管理プログラム。
【請求項９】
端末装置において用いられる管理プログラムであって、
コンピュータを、
電力消費または電力系統への電力供給の調整の複数の依頼対象、ならびに前記複数の依頼対象に対応する前記調整についての期間および量をそれぞれ示す依頼対象情報を取得する取得部と、
前記取得部により取得された前記依頼対象情報に基づいて、前記依頼対象に対応する図形であって前記依頼対象の前記量に応じた大きさの図形を前記依頼対象の前記期間に対応づけて表示する処理を行う表示処理部、
として機能させるための、管理プログラム。
【発明の詳細な説明】
【技術分野】
【０００１】
本発明は、管理装置、端末装置、管理方法および管理プログラムに関する。
【背景技術】
【０００２】
従来、電力消費の調整または電力系統への電力供給の調整に関する技術が開発されている。たとえば、特開２０１５−１１６０３８号公報（特許文献１）には、以下のような電力消費管理装置が記載されている。すなわち、電力消費管理装置は、複数の電力需要施設における電力消費を管理する電力消費管理装置であって、１または複数の電力供給側から電力消費に関する電力管理情報を取得する管理情報取得部と、前記電力管理情報に基づいて、前記電力需要施設における電力消費に関する指示情報を前記電力需要施設に通知する指示処理を行う指示部と、前記指示情報を通知した前記電力需要施設における電力消費を監視する監視部とを備え、前記指示部は、前記電力管理情報および前記監視部の監視結果に基づいて、前記指示処理の内容を変更する。
【先行技術文献】
【特許文献】
【０００３】
【特許文献１】特開２０１５−１１６０３８号公報
【発明の概要】
【発明が解決しようとする課題】
【０００４】
特許文献１に記載の技術のように、装置が、管理者等の指示を受けることなく、電力消費等の調整に関する依頼内容を自動的に決定する場合など、管理者等において電力消費等の調整に関する依頼内容の把握が困難な場合がある。
【０００５】
この発明は、上述の課題を解決するためになされたもので、その目的は、管理者等において、電力消費または電力系統への電力供給の調整に関する依頼内容を容易に把握することのできる管理装置、端末装置、管理方法および管理プログラムを提供することである。
【課題を解決するための手段】
【０００６】
（１）上記課題を解決するために、この発明のある局面に係わる管理装置は、本発明の実施の形態に係る管理装置は、電力消費または電力系統への電力供給の調整についての期間および量を示す管理情報を取得する取得部と、前記取得部により取得された前記管理情報に基づいて、前記調整の複数の依頼対象、ならびに前記複数の依頼対象に対応する前記調整についての期間および量をそれぞれ決定する決定部と、前記決定部による決定内容に基づいて、前記依頼対象に対応する図形であって前記依頼対象の前記量に応じた大きさの図形を前記依頼対象の前記期間に対応づけて表示する処理を行う表示処理部とを備える。
【０００７】
（６）上記課題を解決するために、この発明のある局面に係わる端末装置は、電力消費または電力系統への電力供給の調整の複数の依頼対象、ならびに前記複数の依頼対象に対応する前記調整についての期間および量をそれぞれ示す依頼対象情報を取得する取得部と、前記取得部により取得された前記依頼対象情報に基づいて、前記依頼対象に対応する図形であって前記依頼対象の前記量に応じた大きさの図形を前記依頼対象の前記期間に対応づけて表示する処理を行う表示処理部とを備える。
【０００８】
（７）上記課題を解決するために、この発明のある局面に係わる管理方法は、管理装置における管理方法であって、電力消費または電力系統への電力供給の調整についての期間および量を示す管理情報を取得するステップと、取得した前記管理情報に基づいて、前記調整の複数の依頼対象、ならびに前記複数の依頼対象に対応する前記調整についての期間および量をそれぞれ決定するステップと、決定内容に基づいて、前記依頼対象に対応する図形であって前記依頼対象の前記量に応じた大きさの図形を前記依頼対象の前記期間に対応づけて表示する処理を行うステップとを含む。
【０００９】
（８）上記課題を解決するために、この発明のある局面に係わる管理プログラムは、管理装置において用いられる管理プログラムであって、コンピュータを、電力消費または電力系統への電力供給の調整についての期間および量を示す管理情報を取得する取得部と、前記取得部により取得された前記管理情報に基づいて、前記調整の複数の依頼対象、ならびに前記複数の依頼対象に対応する前記調整についての期間および量をそれぞれ決定する決定部と、前記決定部による決定内容に基づいて、前記依頼対象に対応する図形であって前記依頼対象の前記量に応じた大きさの図形を前記依頼対象の前記期間に対応づけて表示する処理を行う表示処理部、として機能させるためのプログラムである。
【００１０】
（９）上記課題を解決するために、この発明の他の局面に係わる管理プログラムは、端末装置において用いられる管理プログラムであって、コンピュータを、電力消費または電力系統への電力供給の調整の複数の依頼対象、ならびに前記複数の依頼対象に対応する前記調整についての期間および量をそれぞれ示す依頼対象情報を取得する取得部と、前記取得部により取得された前記依頼対象情報に基づいて、前記依頼対象に対応する図形であって前記依頼対象の前記量に応じた大きさの図形を前記依頼対象の前記期間に対応づけて表示する処理を行う表示処理部、として機能させるためのプログラムである。
【００１１】
本発明は、このような特徴的な処理部を備える管理装置の一部または全部を実現する半導体集積回路として実現したり、管理装置を含む管理システムとして実現したりすることができる。
【００１２】
また、本発明は、このような特徴的な処理部を備える端末装置として実現することができるだけでなく、かかる特徴的な処理をステップとする管理方法として実現することができる。また、端末装置の一部または全部を実現する半導体集積回路として実現したり、端末装置を含む管理システムとして実現したりすることができる。
【発明の効果】
【００１３】
本発明によれば、管理者等において、電力消費または電力系統への電力供給の調整に関する依頼内容を容易に把握することができる。
【図面の簡単な説明】
【００１４】
【図１】図１は、本発明の実施の形態に係る電力管理システムの構成を示す図である。
【図２】図２は、本発明の実施の形態に係る電力管理装置における表示処理部により表示される上位図形の例を示す図である。
【図３】図３は、本発明の実施の形態に係る電力管理装置における表示処理部により表示される下位図形の例１を示す図である。
【図４】図４は、本発明の実施の形態に係る電力管理装置における表示処理部により表示される下位図形の例２を示す図である。
【図５】図５は、本発明の実施の形態に係る電力管理装置における表示処理部により表示される下位図形の例３を示す図である。
【図６】図６は、本発明の実施の形態に係る電力管理装置による動作手順を定めたフローチャートである。
【発明を実施するための形態】
【００１５】
最初に、本発明の実施形態の内容を列記して説明する。
【００１６】
（１）本発明の実施の形態に係る管理装置は、電力消費または電力系統への電力供給の調整についての期間および量を示す管理情報を取得する取得部と、前記取得部により取得された前記管理情報に基づいて、前記調整の複数の依頼対象、ならびに前記複数の依頼対象に対応する前記調整についての期間および量をそれぞれ決定する決定部と、前記決定部による決定内容に基づいて、前記依頼対象に対応する図形であって前記依頼対象の前記量に応じた大きさの図形を前記依頼対象の前記期間に対応づけて表示する処理を行う表示処理部とを備える。
【００１７】
このような構成により、管理者等において画面に表示された図形を確認することで、各依頼対象の上記調整についての期間および量を、視覚的に容易に把握することができる。したがって、管理者等において、電力消費または電力系統への電力供給の調整に関する依頼内容を容易に把握することができる。
【００１８】
（２）好ましくは、前記表示処理部は、前記処理において、同じ期間に対応する各前記図形を対応の前記量に応じた順番で並べて表示する。
【００１９】
このような構成により、各依頼対象の調整の量の大小関係を容易に把握することができる。
【００２０】
（３）より好ましくは、前記表示処理部は、前記処理において、前記量に関する数字を前記期間に対応付けてさらに表示する。
【００２１】
このような構成により、各依頼対象の調整の量または調整に対する対価の額など、調整の量に関する具体的な数値を明確に把握することができる。
【００２２】
（４）より好ましくは、前記表示処理部は、前記処理において、前記管理情報の示す前記期間および前記量を示す図形を各前記依頼対象の前記期間に対応づけてさらに表示する。
【００２３】
このような構成により、たとえば、各依頼対象の個別の調整の期間および調整の量に対応する、電力系統における全体の調整の期間および調整の量を把握することができる。
【００２４】
（５）より好ましくは、前記表示処理部は、前記処理において、画面における前記図形の位置が前記期間の時期を示し、前記図形の長さが前記期間の長さを示し、かつ前記図形の幅が前記量を示す前記図形を前記依頼対象ごとに表示する。
【００２５】
このような構成により、画面に表示された図形を確認することで、調整の期間の時期、調整の期間の長さ、および調整の量をより直感的に把握することができる。
【００２６】
（６）本発明の実施の形態に係る端末装置は、電力消費または電力系統への電力供給の調整の複数の依頼対象、ならびに前記複数の依頼対象に対応する前記調整についての期間および量をそれぞれ示す依頼対象情報を取得する取得部と、前記取得部により取得された前記依頼対象情報に基づいて、前記依頼対象に対応する図形であって前記依頼対象の前記量に応じた大きさの図形を前記依頼対象の前記期間に対応づけて表示する処理を行う表示処理部とを備える。
【００２７】
このような構成により、管理者等において画面に表示された図形を確認することで、各依頼対象の上記調整についての期間および量を、視覚的に容易に把握することができる。したがって、管理者等において、電力消費または電力系統への電力供給の調整に関する依頼内容を容易に把握することができる。
【００２８】
（７）本発明の実施の形態に係る管理方法は、管理装置における管理方法であって、電力消費または電力系統への電力供給の調整についての期間および量を示す管理情報を取得するステップと、取得した前記管理情報に基づいて、前記調整の複数の依頼対象、ならびに前記複数の依頼対象に対応する前記調整についての期間および量をそれぞれ決定するステップと、決定内容に基づいて、前記依頼対象に対応する図形であって前記依頼対象の前記量に応じた大きさの図形を前記依頼対象の前記期間に対応づけて表示する処理を行うステップとを含む。
【００２９】
このような方法により、管理者等において画面に表示された図形を確認することで、各依頼対象の上記調整についての期間および量を、視覚的に容易に把握することができる。したがって、管理者等において、電力消費または電力系統への電力供給の調整に関する依頼内容を容易に把握することができる。
【００３０】
（８）本発明の実施の形態に係る管理プログラムは、管理装置において用いられる管理プログラムであって、コンピュータを、電力消費または電力系統への電力供給の調整についての期間および量を示す管理情報を取得する取得部と、前記取得部により取得された前記管理情報に基づいて、前記調整の複数の依頼対象、ならびに前記複数の依頼対象に対応する前記調整についての期間および量をそれぞれ決定する決定部と、前記決定部による決定内容に基づいて、前記依頼対象に対応する図形であって前記依頼対象の前記量に応じた大きさの図形を前記依頼対象の前記期間に対応づけて表示する処理を行う表示処理部、として機能させるためのプログラムである。
【００３１】
このような構成により、管理者等において画面に表示された図形を確認することで、各依頼対象の上記調整についての期間および量を、視覚的に容易に把握することができる。したがって、管理者等において、電力消費または電力系統への電力供給の調整に関する依頼内容を容易に把握することができる。
【００３２】
（９）本発明の実施の形態に係る管理プログラムは、端末装置において用いられる管理プログラムであって、コンピュータを、電力消費または電力系統への電力供給の調整の複数の依頼対象、ならびに前記複数の依頼対象に対応する前記調整についての期間および量をそれぞれ示す依頼対象情報を取得する取得部と、前記取得部により取得された前記依頼対象情報に基づいて、前記依頼対象に対応する図形であって前記依頼対象の前記量に応じた大きさの図形を前記依頼対象の前記期間に対応づけて表示する処理を行う表示処理部、として機能させるためのプログラムである。
【００３３】
このような構成により、管理者等において画面に表示された図形を確認することで、各依頼対象の上記調整についての期間および量を、視覚的に容易に把握することができる。したがって、管理者等において、電力消費または電力系統への電力供給の調整に関する依頼内容を容易に把握することができる。
【００３４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３５】
＜構成および基本動作＞
［電力管理システム］
図１は、本発明の実施の形態に係る電力管理システムの構成を示す図である。
【００３６】
図１を参照して、電力管理システム２０１は、電力管理装置１０１と、１または複数の施設側装置１０２と、上位制御サーバ１０４と、表示装置（端末装置）１５１とを備える。
【００３７】
施設側装置１０２は、発電施設、または工場、オフィスもしくは一般家庭などの電力需要施設におけるエネルギーリソースである。具体的には、施設側装置１０２は、太陽光発電装置もしくは風力発電装置などの発電装置、蓄電池、または、空調機などの負荷装置である。
【００３８】
電力管理装置１０１は、アグリゲータ等の配信事業者によって運用され、１または複数の施設側装置１０２と通信を行なうことにより、施設側装置１０２による発電量、蓄電量または電力消費量を管理する。
【００３９】
表示装置１５１は、たとえばタッチパネル式による情報の入力の受け付け、および画面の表示を行う装置である。表示装置１５１は、情報の送受信を行う通信部２１と、画面の表示を行う表示処理部２２と、液晶モニタなどの表示部２３とを備える。
【００４０】
たとえば、管理者が表示装置１５１の操作を行うと、通信部２１は、当該操作の内容を示す操作情報を電力管理装置１０１へ送信する。また、通信部２１は、たとえば、表示部２３に表示する画面に関する情報を取得し、取得した当該情報を表示処理部２２へ出力する。
【００４１】
表示処理部２２は、通信部２１から画面に関する情報を受けると、当該情報に基づく画面を表示部２３に表示する。
【００４２】
上位制御サーバ１０４は、電力系統側である電力会社または系統運用会社等の一般電気事業者によって運用される。上位制御サーバ１０４は、たとえば、電力系統における電力需給の状況に応じて、電力消費の調整または電力系統への電力供給の調整に関するイベントの内容を示す管理情報を電力管理装置１０１へ送信する。なお、電力消費の調整は、電力消費量を減らすこと、または電力消費量を増やすことを意味する。また、電力系統への電力供給の調整は、電力系統への電力供給量を減らすこと、または電力系統への電力供給量を増やすことを意味する。
【００４３】
管理情報は、たとえば、イベントが行われる期間（以下、「イベント期間」と称する。）の開始タイミングおよび長さ、ならびにイベント期間における電力消費の調整量または電力系統への電力供給の調整量を示す。
【００４４】
電力管理装置１０１は、上位制御サーバ１０４から管理情報を受信すると、受信した管理情報に基づいて、自己の管理対象である施設側装置１０２の中から、イベント期間における電力消費の調整または電力系統への電力供給の調整を依頼する複数の依頼対象を決定する。
【００４５】
また、電力管理装置１０１は、決定した各依頼対象に対応するイベント期間および調整量を決定する。依頼対象に対応するイベント期間とは、当該依頼対象が、電力消費の調整または電力系統への電力供給の調整を行う期間である。また、依頼対象に対応する調整量とは、当該依頼対象が調整すべき電力消費の調整量または電力系統への電力供給の調整量である。
【００４６】
以下、管理情報の示すイベント期間を「上位イベント期間」とも称する。また、決定部１２により決定される各依頼対象のイベント期間を「下位イベント期間」とも称する。また、電力系統における全体のイベントを「上位イベント」とも称し、各依頼対象の個別のイベントを「下位イベント」とも称する。
【００４７】
電力管理装置１０１は、管理情報に基づいて決定した各依頼対象の依頼内容、すなわち各依頼対象の下位イベント期間および調整量を示す依頼対象情報を、対応する各依頼対象へ送信する。
【００４８】
依頼対象である施設側装置１０２は、電力管理装置１０１から依頼対象情報を受信すると、たとえば、当該依頼対象情報の示す下位イベント期間において、自己の発電量、電力消費量または蓄電量を調整することにより、当該依頼対象情報の示す調整量を実現する。
【００４９】
なお、電力管理装置１０１は、表示装置１５１における通信部２１、表示処理部２２および表示部２３のうちの一部または全部を備える構成であってもよい。
【００５０】
また、表示装置１５１の代わりに、たとえばモニタを有する端末装置であって、電力管理装置１０１との間で無線通信による情報の送受信を行う端末装置が設けられてもよい。
【００５１】
［電力管理装置］
電力管理装置１０１は、取得部１１と、決定部１２と、記憶部１３と、表示処理部１４と、送信部１５とを備える。
【００５２】
（ａ）依頼内容の通知
取得部１１は、上位制御サーバ１０４から管理情報を受信し、受信した管理情報を決定部１２へ出力する。
【００５３】
なお、取得部１１は、上位制御サーバ１０４から管理情報を受信する代わりに、たとえば、電力系統における電力需給の状況を示す情報を取得し、取得した当該情報に基づいて管理情報を自ら作成し、作成した管理情報を決定部１２へ出力してもよい。
【００５４】
記憶部１３には、自己の電力管理装置１０１の管理対象である複数の施設側装置１０２の各々の識別情報、過去のイベントが行われた期間、過去のイベントにおける調整の実績量、過去のイベントにおける依頼対象、および、各施設側装置１０２の電力量料金１ｋＷ当たりの価格などが記憶されている。
【００５５】
決定部１２は、取得部１１から管理情報を受けると、当該管理情報および記憶部１３に記憶されている各種情報に基づいて、当該管理情報の示す上位イベント期間における１または複数の依頼対象を決定する。また、決定部１２は、決定した各依頼対象の下位イベント期間および調整量をそれぞれ決定する。
【００５６】
具体的には、決定部１２は、たとえば、記憶部１３に記憶されている過去のイベントにおける依頼対象を参照して、過去の依頼回数の少ない施設側装置１０２を優先的に依頼対象として決定する。また、決定部１２は、たとえば、管理情報の示す上位イベント期間の一部または全部を、各依頼対象の下位イベント期間として決定する。
【００５７】
また、決定部１２は、たとえば、記憶部１３に記憶されている各施設側装置１０２の電力量料金１ｋＷ当たりの価格を参照して、各依頼対象へ支払う調整に対する対価の額の総額が少なくなるように、各依頼対象の調整量を決定する。また、決定部１２は、たとえば、依頼対象ごとに、決定した調整量に応じた対価の額を算出する。
【００５８】
そして、決定部１２は、たとえば、取得部１１から受けた管理情報、決定した依頼対象の識別情報、各依頼対象の下位イベント期間および各依頼対象の調整量、ならびに算出した各依頼対象の対価の額を記憶部１３に保存する。
【００５９】
また、決定部１２は、たとえば、記憶部１３に保存した各種情報を定期的に確認し、管理情報の示す上位イベント期間の開始タイミングより前に、記憶部１３から依頼対象の識別情報、ならびに各依頼対象の下位イベント期間および調整量を読み出す。
【００６０】
そして、決定部１２は、読み出した依頼対象の識別情報、ならびに各依頼対象の下位イベント期間および調整量を送信部１５へ通知する。
【００６１】
送信部１５は、決定部１２からの通知を受けると、通知された依頼対象の識別情報、ならびに各依頼対象の下位イベント期間および調整量に基づいて、下位イベント期間および調整量を示す依頼対象情報を、対応の依頼対象である施設側装置１０２へ送信する。
【００６２】
なお、送信部１５は、たとえば表示装置１５１を介して管理者による依頼対象情報の送信の指示を受けた場合に、依頼対象情報を対応の依頼対象である施設側装置１０２へ送信する構成であってもよい。
【００６３】
また、決定部１２は、管理情報に基づいて、複数の依頼対象、ならびに各依頼対象の下位イベント期間および調整量を決定する構成に限られない。
【００６４】
たとえば、管理者が、複数の依頼対象、ならびに各依頼対象の下位イベント期間および調整量を表示装置１５１に入力し、表示装置１５１における通信部２１が、管理者により入力された内容を示す入力情報を電力管理装置１０１へ送信してもよい。
【００６５】
そして、電力管理装置１０１における決定部１２は、表示処理部１４および記憶部１３経由で、表示装置１５１から送信された入力情報を受信し、受信した入力情報に基づいて、複数の依頼対象、ならびに各依頼対象の下位イベント期間および調整量を決定してもよい。
【００６６】
（ｂ）依頼内容の表示
（上位図形の表示）
表示処理部１４は、表示装置１５１から送信された操作情報を受信し、受信した操作情報の示す操作の内容に応じた画面を表示部２３に表示する表示処理を行う。
【００６７】
より詳細には、表示処理部１４は、たとえば、上位イベントを表示するための操作を示す操作情報を受信すると、記憶部１３に保存されている管理情報の示す上位イベント期間および調整量を読み出し、読み出した上位イベント期間および調整量を示すイベント情報を表示装置１５１へ送信する。
【００６８】
表示装置１５１における通信部２１は、表示処理部１４から送信されたイベント情報を受信し、受信したイベント情報を表示処理部２２へ出力する。
【００６９】
表示処理部２２は、通信部２１からイベント情報を受けると、当該イベント情報に基づいて、たとえば、上位イベントを示す図形であって、画面における図形の位置が上位イベント期間の時期を示し、図形の長さが上位イベント期間の長さを示す図形（以下、「上位図形」とも称する。）の画面における座標および形状等を示す画面情報を作成する。
【００７０】
そして、表示処理部２２は、作成した画面情報に基づいて、たとえば、上位イベントのタイムスケジュール表とともに上位図形を表示部２３に表示する。
【００７１】
なお、上位イベントのタイムスケジュール表は、上位イベントのタイムスケジュールを示すための表であって、たとえば、上位イベント期間を含む期間を表示範囲とする表である。
【００７２】
図２は、本発明の実施の形態に係る電力管理装置における表示処理部により表示される上位図形の例を示す図である。
【００７３】
図２を参照して、管理情報の示す上位イベント期間が２０１６年５月１２日の１２時〜１８時であり、当該管理情報の示す調整量が１０００ｋＷである場合、表示処理部１４は、たとえば、当該上位イベント期間および当該調整量を示す上位図形であるイベントバーＥｖｂ１を表示部２３に表示する。
【００７４】
具体的には、表示処理部１４は、当該上位イベント期間および当該調整量を示すイベント情報を表示装置１５１へ送信する。そして、表示装置１５１における通信部２１は、表示処理部１４から送信されたイベント情報を受信し、受信したイベント情報を表示処理部２２へ出力する。
【００７５】
表示処理部２２は、通信部２１からイベント情報を受けると、当該イベント情報に基づいて画面情報を作成する。
【００７６】
たとえば、表示処理部２２は、上位イベントのタイムスケジュール表ＴＳにおける２０１６年５月１２日の１２時〜１８時に対応する位置にイベントバーＥｖｂ１が表示され、イベントバーＥｖｂ１の内部に調整量である「１０００ｋＷ」の文字が表示されるように画面情報を作成する。
【００７７】
そして、表示処理部２２は、作成した画面情報に基づいて、タイムスケジュール表ＴＳおよびイベントバーＥｖｂ１を表示部２３に表示する。
【００７８】
（下位図形の表示）
再び図１を参照して、たとえば、表示処理部１４は、表示装置１５１から送信された、画面における上位図形を選択する操作を示す操作情報を受信すると、当該上位図形の示す上位イベント期間に対応する各依頼対象の下位イベント期間および調整量を記憶部１３から読み出す。
【００７９】
そして、表示処理部１４は、各依頼対象に対応する図形であって、依頼対象の調整量に応じた大きさの図形（以下、「下位図形」とも称する。）を、依頼対象の下位イベント期間に対応づけて表示部２３に表示する。
【００８０】
より詳細には、表示処理部１４は、たとえば、記憶部１３から読み出した各依頼対象の下位イベント期間および調整量を示す依頼対象情報を表示装置１５１へ送信する。
【００８１】
表示装置１５１における通信部２１は、表示処理部１４から送信された依頼対象情報を受信し、受信した依頼対象情報を表示処理部２２へ出力する。
【００８２】
表示処理部２２は、通信部２１から依頼対象情報を受けると、当該依頼対象情報に基づいて、各依頼対象の下位イベントを示す下位図形の画面における座標および形状等を示す画面情報を作成する。
【００８３】
そして、表示処理部２２は、作成した画面情報に基づいて、下位図形を表示部２３に表示する。
【００８４】
より詳細には、表示処理部２２は、たとえば、画面における下位図形の位置が下位イベント期間の時期を示し、下位図形の長さが下位イベント期間の長さを示し、下位図形の大きさが調整量を示す下位図形の画面における座標および形状等を示す画面情報を作成し、作成した画面情報に基づいて、各依頼対象の下位イベントを示す下位図形を表示部２３に表示する。
【００８５】
なお、表示処理部１４は、イベント情報または依頼対象情報を表示装置１５１へ送信する代わりに、たとえば、イベント情報または依頼対象情報に基づいて、画面情報を自ら作成し、作成した画面情報を表示装置１５１へ送信してもよい。
【００８６】
この場合、表示装置１５１における通信部２１は、表示処理部１４から送信された画面情報を受信し、受信した画面情報を表示処理部２２へ出力する。そして、表示処理部２２は、通信部２１から画面情報を受けると、当該画面情報に基づいて上位図形または下位図形を表示部２３に表示する。
【００８７】
また、表示処理部１４は、たとえば、上位イベントを表示するための操作を示す操作情報を受信した場合に、上位図形および下位図形の両方を表示部２３に表示してもよい。
【００８８】
また、表示装置１５１における通信部２１は、画面におけるタイムスケジュール表に表示する期間を変更する操作の入力を受け付けてもよい。
【００８９】
具体的には、通信部２１は、管理者等により画面におけるタイムスケジュール表に表示する期間を変更する操作が行われると、当該操作を示す操作情報を電力管理装置１０１へ送信する。そして、電力管理装置１０１における表示処理部１４は、通信部２１から送信された当該操作情報を受信すると、当該操作情報に基づいて、たとえば、変更後の期間に対応する上位図形および下位図形を表示部２３に表示する。
【００９０】
また、通信部２１は、たとえば、表示部２３に下位図形が表示されている状態において、当該下位図形の示す下位イベントの内容を変更するための操作の入力を受け付けてもよい。
【００９１】
具体的には、通信部２１は、管理者等により画面における下位図形の示す下位イベントの内容を変更するための操作が行われると、当該操作を示す操作情報を電力管理装置１０１へ送信する。そして、電力管理装置１０１における表示処理部１４は、通信部２１から送信された当該操作情報を受信すると、当該操作情報を記憶部１３に保存する。
【００９２】
そして、決定部１２は、たとえば、定期的に記憶部１３に保存されている各種情報を確認し、下位図形の示す下位イベントの内容を変更するための操作を示す操作情報が保存されたことを確認すると、対応する下位イベントの依頼対象、各依頼対象の下位イベント期間および調整量を再び決定する。
【００９３】
（下位図形の表示例１）
図３は、本発明の実施の形態に係る電力管理装置における表示処理部により表示される下位図形の例１を示す図である。
【００９４】
たとえば、決定部１２は、上位イベント期間である２０１６年５月１２日の１２時〜１８時のうち、１２時〜１５時を「期間１」とし、１５時〜１８時を「期間２」として区分けする。
【００９５】
そして、決定部１２は、たとえば、施設側装置１０２Ｂ、施設側装置１０２Ｃおよび施設側装置１０２Ｄを「期間１」における依頼対象として決定し、「期間１」における施設側装置１０２Ｂ，１０２Ｃ，１０２Ｄの調整量をそれぞれ２００ｋＷ、３００ｋＷおよび５００ｋＷと決定する。
【００９６】
また、決定部１２は、たとえば、施設側装置１０２Ａ、施設側装置１０２Ｃおよび施設側装置１０２Ｄを「期間２」における依頼対象として決定し、「期間２」における施設側装置１０２Ａ，１０２Ｃ，１０２Ｄの調整量をそれぞれ２００ｋＷ、３００ｋＷおよび５００ｋＷと決定する。
【００９７】
このような場合において、表示処理部１４は、たとえば、表示装置１５１から送信された、図２に示すイベントバーＥｖｂ１を選択する操作を示す操作情報を受信すると、決定部１２による上記決定内容、すなわち各依頼対象の依頼内容に基づいて、図３に示すような画面を表示する表示処理を行う。
【００９８】
具体的には、表示処理部１４は、たとえば、施設側装置１０２Ａ，１０２Ｂ，１０２Ｃ，１０２Ｄの各々の下位イベントのタイムスケジュールを示すためのタイムスケジュール表ＴＳａ，ＴＳｂ，ＴＳｃ，ＴＳｄを縦に並べて表示する。
【００９９】
また、表示処理部１４は、タイムスケジュール表ＴＳｂ，ＴＳｃ，ＴＳｄの内部であって、上位イベントのタイムスケジュール表ＴＳの「期間１」に対応する列に、「期間１」における各依頼対象の下位イベントを示す下位図形としてイベントバーＥｖｂ１ｂ，Ｅｖｂ１ｃ，Ｅｖｂ１ｄを表示する。
【０１００】
また、表示処理部１４は、タイムスケジュール表ＴＳａ，ＴＳｃ，ＴＳｄの内部であって、上位イベントのタイムスケジュール表ＴＳの「期間２」に対応する列に、「期間２」における各依頼対象の下位イベントを示す下位図形としてイベントバーＥｖｂ２ａ，Ｅｖｂ２ｃ，Ｅｖｂ２ｄを表示する。
【０１０１】
このとき、イベントバーＥｖｂ１ｂ，Ｅｖｂ１ｃ，Ｅｖｂ１ｄは、各々の幅が調整量に対応するように、たとえば「２００：３００：５００」の割合で表示される。また、イベントバーＥｖｂ２ａ，Ｅｖｂ２ｃ，Ｅｖｂ２ｄは、各々の幅が調整量に対応するように、たとえば「２００：３００：５００」の割合で表示される。
【０１０２】
また、表示処理部１４は、たとえば、図３に示すように、上位図形と下位図形とを縦に並べて表示することにより、上位イベント期間と下位イベント期間とを対応づけて表示する。
【０１０３】
また、表示処理部１４は、たとえば、図３に示すように、同じ期間に対応する各イベントバーを対応の調整量に応じた順番で並べて表示する。具体的には、表示処理部１４は、「期間１」における調整量が小さい順、すなわち施設側装置１０２Ｂ、施設側装置１０２Ｃ、施設側装置１０２Ｄの順に対応のイベントバーを上から並べて表示する。なお、表示処理部１４は、調整量が大きい順に対応のイベントバーを上から並べて表示してもよい。
【０１０４】
また、表示処理部１４は、たとえば、各依頼対象の調整量に関する数字を、下位イベント期間に対応づけて表示する。具体的には、表示処理部１４は、図３に示すように、記憶部１３に保存されている各依頼対象の対価の額を示す数字を対応する各イベントバーの内部に表示する。なお、表示処理部１４は、各依頼対象の対価の額を示す数字を対応の各イベントバーの外部に表示してもよい。
【０１０５】
また、表示処理部１４は、各依頼対象の下位図形を異なる色で表示するなど、各依頼対象の下位図形を異なる表示態様で表示してもよい。
【０１０６】
（下位図形の表示例２）
図４は、本発明の実施の形態に係る電力管理装置における表示処理部により表示される下位図形の例２を示す図である。
【０１０７】
表示処理部１４により表示される下位図形の大きさは、対応する調整量に応じた大きさであればよく、たとえば、調整量に応じた対価の額を示してもよい。
【０１０８】
図４を参照して、たとえば、「期間１」における依頼対象である施設側装置１０２Ｂ，１０２Ｃ，１０２Ｄの対価の額が、それぞれ１７００円、２０００円および３０００円であり、「期間２」における依頼対象である施設側装置１０２Ａ，１０２Ｃ，１０２Ｄの対価の額が、それぞれ１７００円、２０００円および３０００円であるとする。
【０１０９】
この場合、表示処理部１４は、「期間１」における各依頼対象の下位イベントを示すイベントバーであって、各々の幅が「１７００：２０００：３０００」の割合であるイベントバーＥｖｂ１ｂ，Ｅｖｂ１ｃ，Ｅｖｂ１ｄを表示する。
【０１１０】
また、表示処理部１４は、「期間２」における各依頼対象の下位イベントを示すイベントバーであって、各々の幅が「１７００：２０００：３０００」の割合の大きさであるイベントバーＥｖｂ２ａ，Ｅｖｂ２ｃ，Ｅｖｂ２ｄを表示する。
【０１１１】
また、このとき、表示処理部１４は、たとえば、同じ期間に対応する各イベントバーを対応する対価の額の少ない順、または対価の額の多い順に上から並べて表示してもよい。
【０１１２】
また、このとき、表示処理部１４は、たとえば、記憶部１３に保存されている各依頼対象の調整量を示す数字を対応する各イベントバーの内部または外部に表示してもよい。
【０１１３】
（下位図形の表示例３）
図５は、本発明の実施の形態に係る電力管理装置における表示処理部により表示される下位図形の例３を示す図である。
【０１１４】
表示処理部１４は、下位図形の表示処理において、各依頼対象の調整量に応じた大きさの図形であって、各依頼対象の下位イベント期間に対応づけられた図形であればよく、図３または図４に示すような複数のイベントバーを縦に積み重ねた表示を行う構成に限られない。
【０１１５】
図５を参照して、具体的には、表示処理部１４は、たとえば、２０１６年５月１２日の１２時〜１８時である上位イベント期間のうち、１２時〜１５時の「期間１」の対応する列に、「期間１」における各依頼対象の下位イベントを示す図形として、複数の領域に分割された円グラフＧ１を表示する。円グラフＧ１の各領域は、たとえば、各依頼対象の調整量に応じた大きさである。
【０１１６】
そして、表示処理部１４は、各領域の内部に対応の依頼対象である施設側装置１０２を示す識別情報、たとえば「１０２Ｂ」、「１０２Ｃ」および「１０２Ｄ」を表示する。
【０１１７】
また、表示処理部１４は、たとえば、２０１６年５月１２日の１２時〜１８時である上位イベント期間のうち、１５時〜１８時の「期間２」の対応する列に、「期間２」における各依頼対象の下位イベントを示す図形として、複数の領域に分割された円グラフＧ２を表示する。円グラフＧ２の各領域は、たとえば、各依頼対象の調整量に応じた大きさである。
【０１１８】
そして、表示処理部１４は、各領域の内部に対応の依頼対象である施設側装置１０２を示す識別情報、たとえば「１０２Ａ」、「１０２Ｃ」および「１０２Ｄ」を表示する。
【０１１９】
なお、表示処理部１４は、各依頼対象の下位イベントを示す図形として、複数のイベントバーを縦に積み重ねた表示または円グラフの表示に限らず、複数のイベントバーを横に並べた棒グラフなどの表示を行ってもよい。
【０１２０】
また、取得部１１、決定部１２および表示処理部１４のうちの一部または全部が表示処理装置として、電力管理装置１０１とは別個に設けられてもよい。また、このような場合、表示処理装置が、さらに、表示装置１５１における各ユニットの一部または全部を備えてもよい。
【０１２１】
［動作の流れ］
次に、本発明の実施の形態に係る電力管理装置１０１の動作の流れについて説明する。
【０１２２】
電力管理システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１２３】
図６は、本発明の実施の形態に係る電力管理装置による動作手順を定めたフローチャートである。
【０１２４】
図６を参照して、まず、電力管理装置１０１は、たとえば上位制御サーバ１０４から管理情報を受信する（ステップＳ１１）。
【０１２５】
次に、電力管理装置１０１は、受信した管理情報に基づいて、たとえば、自己の管理対象である施設側装置１０２の中から、管理情報の示す上位イベント期間における複数の依頼対象を決定する（ステップＳ１２）。
【０１２６】
次に、電力管理装置１０１は、受信した管理情報、および記憶している過去のイベントにおける依頼対象などに基づいて、各依頼対象の下位イベント期間および調整量を決定する（ステップＳ１３）。
【０１２７】
次に、電力管理装置１０１は、たとえば、上位イベントを表示するための操作を示す操作情報を受信すると（ステップＳ１４）、上位イベントのタイムスケジュール表および上位図形を表示部２３に表示する（ステップＳ１５）。
【０１２８】
なお、電力管理装置１０１は、依頼対象の決定（ステップＳ１２）および各依頼対象の下位イベント期間および調整量の決定（ステップＳ１３）の前に、上位イベントのタイムスケジュール表および上位図形の表示を行ってもよい。
【０１２９】
次に、電力管理装置１０１は、たとえば、画面における上位図形を選択する操作を示す操作情報を受信すると（ステップＳ１６）、当該上位図形の示す上位イベント期間に対応する各依頼対象の下位イベントのタイムスケジュール表とともに、各依頼対象の下位イベントを示す下位図形を表示部２３に表示する。
【０１３０】
このとき、電力管理装置１０１は、たとえば、画面における下位図形の大きさが各依頼対象の調整量に応じた大きさであり、下位図形の位置が下位イベント期間の時期を示し、下位図形の長さが下位イベント期間の長さを示すように下位図形を表示する（ステップＳ１７）。
【０１３１】
ところで、上述した特許文献１に記載の技術のように、装置が、管理者等の指示を受けることなく、電力消費等の調整に関する依頼内容を自動的に決定する場合など、管理者等において電力消費等の調整に関する依頼内容の把握が困難な場合がある。
【０１３２】
これに対して、本発明の実施の形態に係る電力管理装置１０１では、取得部１１は、電力消費または電力系統への電力供給の調整についての期間および量を示す管理情報を取得する。また、決定部１２は、取得部１１により取得された管理情報に基づいて、上記調整の複数の依頼対象、ならびにこれら複数の依頼対象に対応する上記調整についての期間および量をそれぞれ決定する。また、表示処理部１４は、決定部１２による決定内容に基づいて、依頼対象に対応する図形であって依頼対象の上記量に応じた大きさの下位図形を依頼対象の上記期間に対応づけて表示する処理を行う。
【０１３３】
このような構成により、管理者等において画面に表示された下位図形を確認することで、各依頼対象の上記調整についての期間および量を、視覚的に容易に把握することができる。したがって、管理者等において、電力消費または電力系統への電力供給の調整に関する依頼内容を容易に把握することができる。たとえば、上述した特許文献１に記載の技術のように、装置が電力消費等の調整に関する依頼内容を自動的に決定する場合であっても、管理者等において、当該依頼内容を容易に把握することができる。
【０１３４】
また、本発明の実施の形態に係る電力管理装置１０１では、表示処理部１４は、下位図形を表示する処理において、同じ期間に対応する各下位図形を対応の量に応じた順番で並べて表示する。
【０１３５】
このような構成により、各依頼対象の調整の量の大小関係を容易に把握することができる。
【０１３６】
また、本発明の実施の形態に係る電力管理装置１０１では、表示処理部１４は、下位図形を表示する処理において、調整の量に関する数字を調整の期間に対応付けてさらに表示する。
【０１３７】
このような構成により、各依頼対象の調整の量または調整に対する対価の額など、調整の量に関する具体的な数値を明確に把握することができる。
【０１３８】
また、本発明の実施の形態に係る電力管理装置１０１では、表示処理部１４は、下位図形を表示する処理において、管理情報の示す期間および量を示す上位図形を各依頼対象の期間に対応づけてさらに表示する。
【０１３９】
このような構成により、たとえば、各依頼対象の個別の調整の期間および調整の量に対応する、電力系統における全体の調整の期間および調整の量を把握することができる。
【０１４０】
また、本発明の実施の形態に係る電力管理装置１０１では、表示処理部１４は、下位図形を表示する処理において、画面における下位図形の位置が調整の期間の時期を示し、下位図形の長さが調整の期間の長さを示し、かつ下位図形の幅が調整の量を示す下位図形を依頼対象ごとに表示する。
【０１４１】
このような構成により、画面に表示された下位図形を確認することで、調整の期間の時期、調整の期間の長さ、および調整の量をより直感的に把握することができる。
【０１４２】
また、本発明の実施の形態に係る表示装置１５１では、通信部２１は、電力消費または電力系統への電力供給の調整の複数の依頼対象、ならびにこれら複数の依頼対象に対応する上記調整についての期間および量をそれぞれ示す依頼対象情報を取得する。また、表示処理部２２は、通信部２１により取得された依頼対象情報に基づいて、依頼対象に対応する図形であって依頼対象の上記量に応じた大きさの下位図形を依頼対象の上記期間に対応づけて表示する処理を行う。
【０１４３】
このような構成により、管理者等において画面に表示された下位図形を確認することで、各依頼対象の上記調整についての期間および量を、視覚的に容易に把握することができる。したがって、管理者等において、電力消費または電力系統への電力供給の調整に関する依頼内容を容易に把握することができる。たとえば、上述した特許文献１に記載の技術のように、装置が電力消費等の調整に関する依頼内容を自動的に決定する場合であっても、管理者等において、当該依頼内容を容易に把握することができる。
【０１４４】
なお、本発明の実施の形態に係る電力管理装置１０１および表示装置１５１の少なくともいずれか一方の機能の一部または全部が、クラウドコンピューティングによって提供されてもよい。すなわち、本発明の実施の形態に係る電力管理装置１０１および表示装置１５１の少なくともいずれか一方が、複数のクラウドサーバ等によって構成されてもよい。
【０１４５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１４６】
以上の説明は、以下に付記する特徴を含む。
【０１４７】
［付記１］
電力消費または電力系統への電力供給の調整についての期間および量を示す管理情報を取得する取得部と、
前記取得部により取得された前記管理情報に基づいて、前記調整の複数の依頼対象、ならびに前記複数の依頼対象に対応する前記調整についての期間および量をそれぞれ決定する決定部と、
前記決定部により決定された決定内容に基づいて、前記依頼対象に対応する図形であって前記依頼対象の前記量に応じた大きさの図形を前記依頼対象の前記期間に対応づけて表示する処理を行う表示処理部とを備え、
前記表示処理部は、複数の前記依頼対象にそれぞれ対応する前記調整についての複数のタイムスケジュール表を縦に並べて表示し、各前記タイムスケジュール表の対応する位置に、前記図形であるイベントバーを表示する、管理装置。
【０１４８】
［付記２］
電力消費または電力系統への電力供給の調整の複数の依頼対象、ならびに前記複数の依頼対象に対応する前記調整についての期間および量をそれぞれ示す依頼対象情報を取得する取得部と、
前記取得部により取得された前記依頼対象情報に基づいて、前記依頼対象に対応する図形であって前記依頼対象の前記量に応じた大きさの図形を前記依頼対象の前記期間に対応づけて表示する処理を行う表示処理部とを備え、
前記表示処理部は、複数の前記依頼対象にそれぞれ対応する前記調整についての複数のタイムスケジュール表を縦に並べて表示し、各前記タイムスケジュール表の対応する位置に、前記図形であるイベントバーを表示する、端末装置。
【符号の説明】
【０１４９】
１１  取得部
１２  決定部
１３  記憶部
１４  表示処理部
１５  送信部
２１  通信部
２２  表示処理部
２３  表示部
１０１  電力管理装置
１０２  施設側装置
１０４  上位制御サーバ
１５１  表示装置（端末装置）
【図１】
2018057097.tif 000003
【図２】
2018057097.tif 000004
【図３】
2018057097.tif 000005
【図４】
2018057097.tif 000006
【図５】
2018057097.tif 000007
【図６】
2018057097.tif 000008